【手続補正書】
【提出日】平成19年10月4日(2007.10.4)
【手続補正１】
【補正対象書類名】明細書
【補正対象項目名】全文
【補正方法】変更
【補正の内容】
【書類名】        明細書
【発明の名称】    眼内挿入用レンズの挿入器具
【特許請求の範囲】
【請求項１】光学部と該光学部を眼内で支える支持部とからなる眼内挿入用レンズを眼内に挿入する眼内挿入用レンズの挿入器具において、前記挿入器具の一部に挿入情報手段を設けたことを特徴とする眼内挿入用レンズの挿入器具。
【請求項２】  前記挿入情報手段は、線・点・文字等の印字，彫り込み・肉盛等の刻印，色彩のうちから選択された表示部であり、挿入筒の先端部から基端部に向かう外周面又は前記挿入筒または握り部の外周面のいずれか一方に設けたことを特徴とする請求項１記載の眼内押入用レンズの挿入器具。
【請求項３】前記挿入情報手段は、前記挿入器具の握り部の外周面に形成した挿入角度確認用の外形形状であることを特徴とする請求項１に記載の眼内挿入用レンズの挿入器具。
【発明の詳細な説明】
【０００１】
【発明の属する技術分野】
この発明は、白内障で水晶体を摘出した後に、水晶体の代わりに挿入される変形可能な眼内挿入用レンズや、視力補正のみを目的として眼内に挿入される変形可能な視力補正用レンズ等の変形可能な眼内挿入用レンズを眼内に挿入するための挿入器具に関し、特に眼内に挿入される挿入筒の挿入量および挿入角度等の挿入情報を容易に確認可能とした眼内挿入用レンズの挿入器具に関するものである。
【０００２】
【従来の技術】
１９４９年リドレイ（Ｒｉｄｌｅｙ）が白内障手術の際に白濁した水晶体の代わりに人工の水晶体、即ち眼内挿入用レンズを初めて人眼に移植して以来、白内障の治療として眼内挿入用レンズを移植することは広く行われてきた。
特開昭５８−１４６３４６号公報に示されているように、眼球に作製した小さな切開創から挿入可能な、少なくとも光学部が所定の記憶特性を有する変形可能な弾性体等を用いた眼内陣入用レンズまたは少なくとも光学部が所定の記憶特性を有する弾性体等を用い、光学部を眼内で支える異種部材からなる支持部を有する変形可能な眼内挿入用レンズの出現と、本願出願人が先に提案している特開昭５８−１４６３４６号、特開平４−２１２３５０号、特開平５−１０３８０３号、 特開平５−１０３８０８号、特開平５−１０３８０９号、特開平７−２３９９０号の各公報に示されているように、変形可能な眼内挿入用レンズの光学部を圧縮したり、巻いたり、折曲げたり、伸ばしたり、折畳んだりして変形させることで、変形前の大きな形状から小さな形状にした上、眼球に作製した小さな切開創からの挿入を可能とする挿入器具の出現によって、眼内挿入用レンズ挿入のための手術も小さな切開創で可能となり、手術後の乱視を軽減する小さな切開創での白内障手術が水晶体摘出から眼内挿入用レンズ挿入において可能となった。
【０００３】
即ち、図１３に示すように変形可能な眼内レンズ１として、変形可能な弾性体で形成した円形の光学部２の外周部に、光学部２と異種の可撓性材料で形成した１対の支持部３の基部３aを埋込み固着し、支持部３の線状の突出部３bを湾曲させ、２つの支持部３を対称形に配置したものや、図１４に示すように、図１３と同様な変形可能な材料からなり、円形の光学部２の外周から一体に、光学部２を支える厚さが薄い板状の前、後２つの支持部４を相対向させて突出させたものもあった。
【０００４】
そして、図１３、図１４に示すものなど、光学部２と支持部３または支持部４とからなり、少なくとも光学部が変形可能な眼内レンズ１を大きな形状から小さな形状に２つ折り状にするなど折畳んで変形させ．円筒状などに形成した挿入筒に通して眼球に作製した切開創から眼内挿入用レンズ１を眼内に挿入するには、例えば時開平７−２３９９０号公報に示される挿入器具などを用いている。
【０００５】
前記挿入器具を用いて、変形可能な眼内挿入用レンズ１を小さな切開創から挿入するには、挿入器具の包持部材の開閉機構を開いてレンズ設置部に眼内挿入用レンズ１を入れ、開閉機構を閉じることで、レンズ設置部に入れた眼内挿入用レンズ１を変形前の大きな形状から小さい形状に変形させ、器具本体に取り付けた係止部材をレンズ設置部側に移動させて開閉機構を閉状態に係止することにより、設置部内に眼内挿入用レンズ１を設置する。
その後、挿入器具の押出し機構の操作によって、押出し軸を前進させ、設置部内の眼内挿入用レンズ１を押出し、設置部の先端側に連なる挿入筒内を通して、切開創に挿入した前記挿入筒の先端から眼内に眼内挿入用レンズ１を挿入させている。
挿入筒の形状は先細のテーパ状にしてあり、より小さな創口から眼内レンズを挿入可能にしている。
さらには、挿入筒先端から挿入筒基端部方向に向かって形成したスリットによってレンズの応力を徐々に解放し、レンズ自体をそのスリット部分から眼内に挿入する構造も公知のものとなっている。
【０００６】
しかしながら、さらに応力の解放をより緩やかにして安全性を高めようと、より基端部に近い部位から先端まで応力解放用の長いスリットを形成すると、切開創部分の眼内組織に前記スリットが干渉してしまい、レンズを押出す際に切開創部分の眼内組織と接触して創口を損傷する危険があつた。
そのため、眼内組織を損傷しないような長さのスリットから充分な緩やかさで応力を解放するためには、挿入筒の内部面積が変形されるレンズの横断面積に近くしなければならず、挿入筒の太さはある程度以上小さくすることが不可能であり、結果として切開創の大きさが決定されていた。さらには  創口から挿入筒を挿入する際の操作性にも限界があつた。
【０００７】
【発明が解決しようとする課題】
しかしながら、前記従来の技術に示すような、少なくとも光学部が変形可能な弾性体等を用いた変形可能な眼内挿入用レンズ、または少なくとも光学部が変形可能な弾性体を用い、光学部を眼内で支える異種部材から成る変形可能な眼内挿入用レンズを、変形前の大きな形状から小さな形状に変形させた上、円筒形状または扁平形状に形成し挿入筒形状にした先細の先端部を介して眼球に作製した小さな切開創から変形可能な眼内挿入用レンズを眼内に挿入する前記の挿入器具には、次のような問題点があつた，
a） 挿入筒は、基端部から先端部まで同材質で、レンズが挿入筒内部を移動
しても破壊されないような強固な素材で形成されていたために、レンズが挿入筒先端部から眼内に排出される際、挿入筒内に折畳まれたレンズが挿入筒先端よりスムーズに展開しながら排出されるように、応力開放構造として挿入筒の開口先端より軸方向に向けて軸心より上方となる所定の角度位置にスリットを形成して、折畳まれたレンズの外周部が展開し易いようにしなければならなかつた。
しかしながら、挿入筒の先端部を小さな切開創に挿入する際の挿入筒の挿入角度が所定の角度、即ちスリット形成位置を水平となるようにして挿入しないと、眼内挿入用レンズの変形時に生じた応力が一気に解放され、眼内挿入用レンズが眼内の意図しない方向に飛び出して眼内組織を損傷させる危険があった。
b）また、前記眼球に形成した小さな切開創に、挿入筒の先端部を挿入する際
の挿入筒の先端部からの挿入量が所定の挿入量でないと、態々前記レンズの変形時に生じる応力を吸収するために挿入筒の先端部から挿入筒基端部方向に向かって形成したスリットが創口により閉塞される結果、前記レンズが意図している速度以上の速度で排出され、円滑な手術が行えない。
ｃ）さらに，前記同様に挿入筒の先端部からの挿入量が所定の挿入量でないと、レンズ排出時における挿入筒に形成した応力開放構造としてのスリット機能が発揮できず、前記押し出されるレンズに対する押圧負荷，並びに挿入器具、特に挿入筒先端部への負荷が増大し、レンズが眼内の意図しない方向に飛び出して眼内組織を損傷させる危険があると共に、レンズを眼内に挿入する際の手術中の取扱いがスムースにできず、レンズの応力の解放をより緩やかにして微妙なコントロールを制御して安全性を高めることができないという問題がある。
【０００８】
【課題を解決するための手段】
請求項１の発明は、光学部と該光学部を眼内で支える支持部とからなる眼内挿入用レンズを眼内に挿入する眼内挿入用レンズの挿入器具において、前記挿入器具の一部に挿入情報手段を設けたことを特徴とする。
【０００９】
請求項２の発明は、請求項１に記載の眼内挿入用レンズの挿入器具において、前記挿入情報手段は、線・点・文字等の印字，彫り込み・肉盛等の刻印，色彩のうちから選択された表示部であり、挿入筒の先端部から基端部に向かう外周面又は前記挿入筒または握り部の外周面のいずれか一方に設けたことを特徴とする。
本発明は、上記構成とすることで、眼内挿入用レンズが水平状態になるように前記情報手段により確認しながら前記挿入筒を回動し、先端より水平状態でスム一ズに展開しながら排出することが可能となり、眼内レンズが眼内の意図しない方向に飛び出して眼内組織を損傷させる危険が防止でき、操作性と安全性の向上が図れ、手術中のトラブルが減少し、安全で円滑な手術を行うことができる。
【００１０】
請求項３の発明は、前記請求項１に記載の変形可能な眼内挿入用レンズの挿入器具において、前記挿入情報手段は、前記挿入器具の握り部の外周面に形成した挿入角度確認用の外形形状であることを特徴とする。
【００１１】
前記請求頃２〜３の発明によれば、前記挿入情報手段は、挿入筒或いは器具本体の握り部の成型時又は、成型後であっても容易に付設することが可能となり、レンズを眼内に挿入する際の手術中の取扱いがスムースにでき、レンズの応力の解放をより緩やかにして微妙なコントロールを制御して安全性を高めることができる。
【００１２】
なお、請求項３記載の挿入器具の握り部の外周面に形成した挿入角度確認用
の外形形状は、挿入器具の握り部の外周面の形状および前記外周面に施した色彩をも包含するものとする。
【００１３】
【発明の実施の形態】
以下、この発明の眼内挿入用レンズの挿入器具の実施形態について図面を参照して説明する。
図１は、この発明に係る変形可能な眼内挿入用レンズの挿入器具の第１実施形態の斜視図であり、本件出願人が先に出願した特願平１０−２３９１２４号（ 特開平１２−６０８８０号）によって開示されたものと挿入筒２１以外は同様な器具本体１２を備え、この本体１２の握り部１０の末端部１２a外周部に雄ネジ１２bを形成してあり、押出し機構部１１に設けた操作筒１４の内周部に形成された雌ネジ１４aに前記雄ネジ１２bをネジ嵌合させてある。
【００１４】
押出し機構部１１には操作筒１４と略同軸に設けられた押出し軸１５の末端部を互いに回転可能な形態で挿入してあり、押出し軸１５は図示しない回転抑制機構により操作筒１４に対して回動しない状態で長手方向に移動可能である。
前記押出し軸１５の先端部１５aは眼内挿入用レンズ１を押出すのに適した公知の太径形状に形成されている。また、眼内挿入用レンズ１を小さく折り畳み設置するための包持部材１６は、器具本体１２の先端部に結合されており、公知の構成により眼内挿入用レンズ１を開状態でセットし、閉状態にすることで眼内挿入用レンズ１を二つ折りにした状態のまま包持するようになっている。
【００１５】
また、器具本体１２には、手術等の使用時にペン状態に保持した際に、前記握り部１０の一部としても使用されるスライドストッパ２７が軸方向に回転せずに移動可能に嵌合されていて、前記スライドストッパ２７に形成した溝２７aによって前記包持部材１６を閉状態に固定する。前記器具本体１２、操作筒１４、押出し軸１５，包持部材１６および包持部材１６と一体に形成された挿入筒２１は、それぞれ合成樹脂により形成されている。
【００１６】
前記挿入器具を用いて図１３に示すような眼内挿入用レンズ１を眼内に挿入する。
眼内挿入用レンズ１は光学部２および支持部３から構成され、支持部３は光学部２とは異種の材料で形成され、そのバネ性により眼内に固定される。
折り畳んで包持された眼内挿入用レンズ１の眼内への挿入方法は以下のようになる。
水晶体を摘出した創口を介して挿入筒２１の先端部を眼内に挿入し．操作筒１４を回転して押出し軸１５を前進させることにより、挿入筒２１の先端部から押出し、眼内挿入用レンズ１を眼内に挿入する方法を用いる。押出し軸１５により挿入筒２１内部の空間を移動した眼内挿入用レンズ１は光学部２の弾性復元力により挿入筒２１から排出された際に、二つ折りにされる前の形状に復元する。
【００１７】
図２、図３、図４は、本発明の第１実施形態における挿入器具の挿入筒２１の要部を示すもので、図２は挿入筒１２を先端側から見た拡大正面図、図３は図２の矢印Ａ方向より見た右側面図  図４は図２の矢印Ｂ方向より見た左側面図である。
【００１８】
挿入筒２１の先端部は、全体的に先細に形成されると共に、両側より押潰した扁平状部３０ａ，３０ｂを有し、図３の右側面図に良く見られるように、より小さい切開創から眼内挿入用レンズ１を挿入するための切欠き部３０および挿入筒２１の閉口先端部より軸方向に向けて軸心より上方となる所定の角度位置に形成したスリット３１からなる第１の応力開放構造と、第２の応力解放構造である挿入筒２１の軸方向と直交する方向に形成されて、前記第１の応力解放構造側に延びる第２スリット３２が設けてある。また．前記第２スリット３２の基端部側近傍には、挿入筒２１の眼内切開創への挿入量の挿入状態を確認するため、挿入情報表示手段としての十字状の刻印４０が設けられている。
【００１９】
前記刻印４０は、前記挿入筒２１の外表面に形成した切込み及び彫り込み、或いは肉盛りによって形成された表示部により、外部から位置が確認できるようにしたものである。
なお、前記挿入情報表示手段としては、挿入筒の先端部から基端部に向かう外周面に設けた線・点・文字等の印字によって形成された表示部であってもよく、また、前記挿入筒２１の先端部から挿入筒２１が眼内切開創内に挿入するのに最適の挿入量を示す挿入部分の挿入筒２１外表面の色彩を代えることで確認できるようにしてもよいし、さらには、前記挿入筒２１外表面に転写・シールを施したものでもよい。
図２の矢印B方向より見た図４には、第１の応力解放構造であるスリット３１が前記挿入筒２１の先端部側から挿入筒２１の基端部側に成形されている状態が示されている。
【００２０】
第１の応力解放構造である第１スリット３１は、図４の幅方向中央に挿入筒２１の先端部から基端部側に延び、図２、図３にも示すように、第１スリット３１の基端３１aと間隔を設けて挿入筒２１の軸方向と直角な方向に第２スリット３２と反対側の部分に形成してある。また、先細になるように挿入筒２１の先端部が扁平部３０a、３０bによって形成され、さらに、図３に示すように第１スリット３１の先端部が右側に湾曲して若干突出させてある。
【００２１】
眼内挿入用レンズ１の挿入時には、先ず第２スリット３２の位置をレンズが押出し軸１５の押出しによって通過した時点で第２スリット３２がわずかに拡がり、眼内挿入用レンズ１が二つ折り状態から元の形状に復元しようとする応力の一部を解放する，さらに眼内挿入用レンズ１が第１スリット３１の基端３１aまで移動すると、眼内挿入用レンズ１の復元応力で第１スリット３１が開き、その復元応力を解放しながら前記眼内挿入用レンズ１の辺縁部を第１スリット３１から挿入筒２１先端部の側部へ押出す。
【００２２】
前記の状況においては、前記挿入筒２１の先端閉口部２１aおよび第１スリット３１は、図２に示すように、軸心に対して傾いた状態であるため、排出される眼内挿入用レンズ１も軸心に対し傾斜した状態で排出されることになり、レンズの変形特に生じた応力が一気に解放され、レンズが眼内の意図しない方向に飛び出して眼内組織を損傷させる危険がある。
従って、図５に示すように、切開創内に挿入する挿入筒２１の先端開口部及び第１スリット３１が軸心に対し水平になるようにする必要がある。すなわち挿入筒２１の外周側面に形成した挿入状態を表示した十字状の刻印４０を確認しながら器具本体１２の握り部１０を回動させ、前記挿入簡２１の先端関口部２１aより折畳まれた眼内挿入用レンズ１を眼内に排出する。
【００２３】
図６に眼内レンズ１がその復元力により第１スリット３１を介して挿入筒２１の先端開口部２１aから押出された状態を示す。
レンズ１の辺縁部が第１スリット３１開口部より押出され、レンズ１の復元応力が充分に解放された後、第１スリット３１が元の状態に戻ろうとする力で眼内挿入用レンズ１を挟み込むことで固定される。この後、さらに押出し軸１５を押出すことで眼内挿入用レンズ１全体が水平な状態で眼内に挿入される。
なお、前記切開創を介して挿入筒２１の先端部が眼内に挿入された挿入量並びに先端開口部２１aの水平状態を、前記挿入筒２１の外周側面に形成した十字状の刻印４０を確認することで判断できる。
【００２４】
前記第１実施形態においては、切開創への挿入を容易にするために挿入筒２１先端部分に扁平部３０ａ，３０ｂを設けてあり、挿入筒２１の先端部分の内部体積は小さくなっている。そのため、第２の応力解放構造である第２スリット３２が形成されていないと、折りたたまれた状態で最も体積の大きいレンズ中心付近が第１スリット３１の根元付近を通過する際に、その復元力が一気に解放されるために眼内挿入用レンズ１が第１スリット３１から勢いよく押出され、図１３に示す眼内挿入用レンズ１の支持部３により眼内組織を損傷する危険があるがこれらを防止することができる。
【００２５】
また、第１実施形態に用いた眼内挿入用レンズ１は、図１３に示すような光学部２と支持部３とを異種の材料のものにしたが、図１４などに示す光学部２と同種の材料からなる支持部４を持ち、材料自体の弾性力或いは記憶特性を有する弾性体材料によって眼内に固定するものであっても使用できる。
【００２６】
さらに、上記実施形態における眼内挿入用レンズ１の挿入角度及び挿入量などの挿入情報手段を、前記挿入器具の挿入筒の所定位置に設け、眼内へ挿入される挿入筒の押入状態を確認するようにしたが、挿入角度の情報については、前記挿入器具の挿入筒２１の表示部に代えて、挿入器具の握り部に挿入角度確認用の挿入情報手段を設けるようにしても良いことは勿論である。
【００２７】
以下、挿入情報手段を挿入器具の握り部１０に設けた状態の第２の実施形態について、図７，図８を参照して説明する。
図７，図８の（ａ），（ｂ）において、前述の第１実施形態と同一部分には同
一符号を付して、説明を省略し、異なる部分についてのみ説明する。
この第２実施形態では、眼内挿入用レンズ１の挿入角度の挿入情報手段を挿入器具１２の前方のスライドストッパ２７及び器具１２後方の握り部１０にそれぞれ設けたもので、４１はスライドストッパ２７である握り部１０の外表面に形成した切込み及び彫り込み、或いは肉盛り等の情報手段としての表示部で、図８の（ｂ）の状態に示すように、挿入筒２１の先端開口部２１aを軸芯に対して水平に傾けた状態で、前記表示部４１を正確に確認できるようにしたものである。すなわち、前記表示部４１を器具１２の真上より観察できる状態に器具１２を傾斜させることで、前記挿入筒２１の扁平開口部２１aが水平状態に保持されていることが確認できるものである。
【００２８】
図９〜図１２の（ａ），（ｂ）は、それぞれ上記第２実施形態の変形例を示すもので、図９，図１０の（ａ），（ｂ）は握り部１０であるスライドストッパ２７の外形形状を変形し、外周上面部に挿入筒２１の先端関口部２１aを軸芯に対して水平に傾けた状態で、水平面となる挿入角度情報手段としての切欠き面４ ２を形成したものであって、前記切欠き面４２を水平状態になるように挿入器具１２を傾けることで、前記挿入筒２１の扇平開口部２１aが水平状態に保持されていることが確認できるものである。
【００２９】
また、図１１，図１２の（ａ），（ｂ）は、握り部１０であるスライドストッパ２７の外形形状を四角形に変形し、四角形の一面に挿入角度情報手段としての外周水平面４３を水平に傾けた状態で、前記挿入筒２１の扁平開口部２１aが水
平状態に保持されていることが確認できるようにしたものである。
なお、前記握り部１０の外形形状は上部に水平面を持つような三角形，五角形，六角形などの多角形でもよく、それぞれの水平面に異なる色彩を持たせるようにしてもよい．
また、器具１２の握り部１０は  使用に際して器具１２をペン保持状態にして使用するため、スライドストッパ２７の外形形状を変形させたものについて説明したが、器具本体１２の後方筒状部１２ａを前記のように変形させて、挿入角度の情報手段とすることも勿論可能であるし、器具１２およびスライドストッパ２７の外形形状を変更することなく、円筒状のものに前記水平面に相当する部分を互いに異なる色彩として、挿入角度情報手段とすることも可能である。
【００３０】
前述の各実施形態においては、挿入器具の挿入筒先端から挿入筒基端部方向に向かって形成したスリットによってレンズの応力を徐々に解放するようにした応力開放機構を備えた眼内挿入用レンズの挿入器具に適用したものについて説明したが、この発明の前記眼内へ挿入される挿入筒の挿入状態を確認する挿入情報手段は、前記応力開放機構を持たない形式の眼内挿入用レンズの挿入器具に適用することも勿論可能である。
【００３１】
【発明の効果】
以上説明したとおり、本発明の変形可能な眼内挿入用レンズの挿入器具では、
挿入器具の握り部または挿入筒のいずれか一方の所定位置に前記眼内へ挿入される挿入筒の挿入状態を確認する挿入情報手段を設けた構成としたので、挿入筒の先端開口部から排出される眼内挿入用レンズを、該レンズが水平状態になるように前記情報手段により確認しながら前記挿入筒を回動し、先端開口部より水平状態でスムーズに展開しながら排出することが可能となり、レンズが眼内の意図しない方向に飛び出して眼内組織を損傷させる危険が防止でき、操作性と安全性の向上が図れ、手術中のトラブルが減少し、安全で円滑な手術を行うことができる。
【００３２】
また、前記眼球に形成した小さな切開創に、挿入筒の先端部を挿入する際の挿入筒の挿入量を所定の挿入量とすることができるので、前記レンズの変形時に生じる応力を吸収するために挿入筒の先端部から挿入筒基端部方向に向かって形成したスリットが創口により閉塞されることがなく、円滑な手術が行える。
【００３３】
さらに、この発明では、前記同様に挿入筒の挿入量及び挿入角度を正確に確認することができるので、眼内挿入用レンズ排出時における挿入筒に形成した応力開放構造としてのスリット機能が充分発揮でき、押出される前記レンズに対する押圧負荷，並びに挿入器具特に挿入筒先端部への負荷が増大し、レンズが眼内の意図しない方向に飛び出して眼内組織を損傷させる危険を防止できると共に、レンズを眼内に挿入する際の手術中の取扱いがスムースにでき、レンズの応力の解放をより緩やかにしで微妙なコントロールを制御して安全性を高めることができる。
【００３４】
【図面の簡単な説明】
【図１】
本発明の眼内挿入用レンズの挿入器具の第１実施形態を示す挿入器具全体の斜
視図。
【図２】
図１の挿入筒を示す要部の正面図。
【図３】
図１の挿入筒を示す要部の矢印Ａ方向より見た右側面図。
【図４】
図１の挿入筒を示す要部の矢印Ｂ方向より見た左側面図。
【図５】
図１の挿入筒の使用状態を示す要部の動作説明図。
【図６】
図１の挿入筒の使用状態を示す要部の動作説明図。
【図７】
この発明の第２の実施形態を示す図１相当図。
【図８】
（ａ）は図７の正面図、（ｂ）は図７の使用状態の正面図。
【図９】
この発明の第２の実施形態の変形例を示す図７相当図。
【図１０】
（ａ）は図９の正面図、（ｂ）は図９の使用状態の正面図。
【図１１】
この発明の第２の実施形態のさらに異なる変形例を示す図７相当図。
【図１２】
（ａ）は図１１の正面図、（ｂ）は図１１の使用状態の正面図。
【図１３】
従来の変形可能な眼内レンズの平面図。
【図１４】
従来の変形可能な眼内レンズの他の例を示す平面図。
【符号の説明】
１        眼内レンズ
２        光学部
３        異種の可撓性材料の支持部
４        光学部と同材料の支持部
１０      握り部
１２      器具本体
１４      操作筒
１５      押出し軸
１６      包持部材
２１      挿入筒
２７    スライドストッパ
３０      挿入筒の先端部に設けた切欠き部
３１      挿入筒の軸方向に向けて形成した第１スリット
３２      挿入箇の軸方向と直角な第２スリット
３０ａ      扁平部
３０ｂ      扁平部
４０        刻印（挿入情報手段）
４１，４２，４３  水平面（挿入情報手段）